(57)【要約】      （修正有）【課題】組み立て易く、また、方位・方角表示が、磨耗しないようにする。【解決手段】外周に南、北などの方位・方角表示４ａを施した上半体４の上面の平坦面４ｃに、矢印その他適宜の表示を施した上半体４の外周縁４ｂを、下半体の開口縁の内側に、南、北などの方位・方角表示を目印に合わせて嵌合し、下半体の外底部２ｄの中央部に垂直に形成した筒部２ｅに重い球体５を回転自在に嵌合して永久磁石を内蔵する中空体を形成し、透明な球体容器６を上下二分割し外底面７ａに所要形状からなる連結部を形成した下半球体７と上半球体８とを嵌合させた球体容器の中に、透明液体に浮遊させて中空体を封入するとともに前記下半球体７に形成した連結部を所要形状からなる基体に着脱自在に構成した水中用方計磁石。【選択図】図４
0003131536.tif 000002
【実用新案登録請求の範囲】
【請求項１】
永久磁石を内蔵する中空体（１）を上下二分割してその下半体（２）を開口縁（２ａ）の一部に目印（２ｂ）を付け、前記下半体（２）の内底面（２ｃ）の永久磁石（３）を固定する位置には、前記永久磁石（３）の前後左右位置に当接する突起（２ｆ）を形成し、前記目印（２ｂ）にＮ極またはＳ極を合わせて水平方向に着磁した永久磁石（３）を固定するとともに、外周に「南」「北」、「上方」「下方」等の方位・方角表示（４ａ）を施した上半体（４）の上面を平坦に形成し、この平坦面（４ｃ）に、矢印そのた適宜の表示（４ｄ）を施した上半体（４）の外周縁（４ｂ）を、前記下半体（２）を開口縁（２ａ）の内側に、また、前記「南」「北」等の方位・方角表示（４ａ）を前記目印（２ｂ）に合わせて嵌合し、前記下半体（２）の内底部（２ｄ）の中央部に垂直に形成した筒部（２ｅ）に重い球体（５）を回転自在に嵌合して永久磁石を内蔵する中空体（１）を形成し、さらに透明な球体容器（６）を上下二分割し外底面（７ａ）に所要形状からなる連結部（７ｂ）を形成した下半球体（７）と上半球体（８）とを嵌合させた球体容器（６）の中に、透明体（９）に浮遊させて前記永久磁石を内蔵する中空体（１）を封入するとともに前記下半球体（７）に形成した連結部（７ｂ）を所要形状からなる基体（１０）に着脱自在に構成したことを特徴とする水中用方計磁石。
【考案の詳細な説明】
【技術分野】
【０００１】  本考案は、支軸および磁針を必要としない水中用方計磁石に関するものである。
【背景技術】
【０００２】  従来、支軸および磁針を用いた方計磁石としては、例えば実開昭５１−８８２５０号公報、実開昭５９−３１０１３号公報、実開昭６０−３３６１０号公報等が公知である。
【特許文献１】  実開昭５１−８８２５０号公報
【特許文献２】  実開昭５９−３１０１３号公報
【特許文献３】  実開昭６０−３３６１０号公報
【考案の開示】
【考案が解決しようとする課題】
【０００３】  ところが、上記従来技術のものは、いずれも方位・方角等を表示した方位表示盤の中心に垂直に立設した支軸に磁針の中心部を回動自在に支持せしめたものであるから、これを例えばスキューブダイバー等が水中用方位磁石として腕等につけて用いた場合は、前記磁石の磁針と支軸が許容角度以上傾むいた状態となると磁針が動かなくなり、速やかに海面あるいは海底に対する位置・角度または、方位・方角を知ることができなくなるという問題点があった。
【課題を解決するための手段】
【０００４】  本考案の水中用方計磁石は、上記課題を解決することを目的とし、永久磁石を内蔵する中空体（１）を上下二分割してその下半体（２）の開口縁（２ａ）の一部に目印（２ｂ）を付け、前記下半体（２）の内底面（２ｃ）の永久磁石（３）を固定する位置には、前記永久磁石（３）の前後左右位置に当接する突起（２ｆ）を形成し、前記目印（２ｂ）にＮ極またはＳ極を合わせて水平方向に着磁した永久磁石（３）を固定しするとともに、外周に「南」「北」、「上方」「下方」等の方位・方角表示（４ａ）を施した上半体（４）の上面を平坦に形成し、この平坦面（４ｃ）に、矢印そのた適宜の表示（４ｄ）を施した上半体（４）の外周縁（４ｂ）を、前記下半体（２）の開口縁（２ａ）の内側に、また、前記「南」「北」等の方位・方角表示（４ａ）を前記目印（２ｂ）に合わせて嵌合し、前記下半体（２）の内底部（２ｄ）の中央部に垂直に形成した筒部（２ｅ）に重い球体（５）を回転自在に嵌合して永久磁石を内蔵する中空体（１）を形成し、さらに透明な球体容器（６）を上下二分割し外底面（７ａ）に所要形状からなる連結部（７ｂ）を形成した下半球体（７）と上半球体（８）とを嵌合させた球体容器（６）の中に、透明液体（９）に浮遊させて前記永久磁石を内蔵する中空体（１）を封入するとともに前記下半球体（７）に形成した連結部（７ｂ）を所要形状からなる基体（１０）に着脱自在に構成したことを特徴とする。
【考案の効果】
【０００５】  本考案の水中用方計磁石によれば、従来のスキューブダイバーに使用されている磁針および支軸を全く使用しないものであるから、水中においてダイバーが如何なる姿勢であっても、球体容器（６）内の中空体（１）は、常に垂直に位置し正しい方位・方角を示し、即時に水準器および磁石としての役目を果すことができる効果が得られるものである。【０００６】  また、水中以外の方針磁石として使用する時は、基体１０と磁石本体、即ち中空体（１）の下半球体（７）に形成した連結部（７ｂ）を離脱することにより容易に使用することができる効果がある。【０００７】  さらにまた、本考案の水中用方計磁石によれば、基体を使用目的に応じ種々の形態のものに変えて用いることができる効果がある。【０００８】  さらにまた、本考案の水中用方計磁石によれば、永久磁石を内蔵する中空体を二分割した下半体の開口縁の一部に目印を付け、前記下半体の内底面の永久磁石を固定する位置には、その永久磁石の前後左右位置に当接する突起を形成したので、、前記目印にＮ極またはＳ極を合わせて水平方向に着磁した永久磁石の取り付けが簡単で、かつ、安定する。
また、外周に「南」「北」等の方位・方角表示を施した上半体の上面を平坦に形成し、この平坦面に、矢印その他適宜の表示を施し商品の購買意欲を向上させることができる。
また、上半体の「南」「北」等の方位・方角表示を行った外周縁を、前記下半体を開口縁の内側に、前記「南」「北」等の方位・方角表示を前記目印に合わせて嵌合して永久磁石を内蔵する中空体を組み立てるようにしたので、この中空体が大きく揺れて、透明な球体容器の内周に当接しても、前記方位・方角表示が磨耗して消えるような問題がない。
また、前記下半体の外底部の中央部に垂直に形成した筒部に重い球体を回転自在に嵌合することにより、前記中空体が揺動しても、前記下半体の外底部の中央部に垂直に形成した筒部に重い球体を回転自在に嵌合した重い球体が、下半球体の中心部に転がると、その転がり力によって、中空体の下半体の外底部の中央部に垂直に形成した筒部も前記下半球体の中心部に寄せられるので、前記中空体の揺動が速やかに止まる等、種々の効果がある。
【考案を実施するための最良の形態】
【０００９】  本考案の水中用方計磁石において、水中の如何なる場所でも特に海底・海面に対する正確な方位・方角を知ることができるばがりでなく、水中以外の場所においも置物用または、携帯用等として容易に使用することができる便利な水中用方計磁石を提供する。
【実施例】
【００１０】  以下、図面を参照して本考案に係る水中用方計磁石の実施の形態を詳細に説明する。
図１乃至図９において、本考案の一実施例を説明するためのものであって、図１は、本考案の水中用液体封入方計磁石の縦断側面図、図２は、永久磁石を内蔵する中空体を上下二分割してその下半体平面図、図３は、透明な球体容器の中の透明体に浮遊させた前記永久磁石を内蔵する中空体の平面図、図４は、本考案の水中用方計磁石の側面図、図５乃至図９は、基体の形態を変えた場合の一例を示す図である。【００１１】  図１乃至図４において、１は、永久磁石を内蔵する中空体であって、前記中空体１を二分割した下半体２の開口縁２ａの一部に突起や刻印や塗布などによる、目印２ｂを付け、前記下半体２の内底面２ｃの永久磁石３を固定する位置には、その永久磁石３の前後左右位置に当接する突起２ｆを形成し、前記目印２ｂにＮ極またはＳ極を合わせて水平方向に着磁した永久磁石３を前記突起２ｆに固定し、外周に「南」「北」、「上方」「下方」等の方位・方角表示４ａを施した上半体４の上面を平坦に形成し、この平坦面４ｃに、矢印そのた適宜の表示４ｄを施した上半体４の外周縁４ｂを、前記下半体２の開口縁２ａの内側に、前記「南」「北」などの方位・方角表示４ａを前記目印２ｂに合わせて嵌合し、前記下半体２の外底面部２ｄの中央部に垂直に形成した筒部２ｅに鋼球（ボール）のような重い球体５を回転自在に嵌合して永久磁石を内蔵する中空体１（コンパスボール）を形成する。
また、透明な球体容器６を二分割した、外底面７ａを平坦に形成した下半球体７と上半球８とを嵌合させた球体容器６の中に、透明液体９に浮遊させて前記永久磁石３を内蔵する中空体１を封入して液体封入方計磁石を構成する。【００１２】  前記中空体１形成する下半体２の外底面部２ｄの中央部に垂直に形成した筒部２ｅに鋼球（ボール）のような重い球体５を回転自在に嵌合することにより、前記中空体１が揺動しても、前記中空体１の下半体２の外底面部２ｄの中央部に垂直に形成した筒部２ｅに回転自在に嵌合した重い球体５が、下半球体７の中心部に転がると、その転がり力によって、中空体１の下半体２の外底面部２ｄの中央部に垂直に形成した筒部２ｅも前記下半球体７の中心部に寄せられるので、前記中空体１の揺動がとまる。
なお、前記永久磁石３の平面形状は、矩形、正方形など種々なものでもよく、その形状にはこだわらず、水平方向にＮ極、Ｓ極が着磁されておればよい、さらにまた、平坦面４ｃは球面でもよいものである。【００１３】  なお、前記実施の形態においては、図１に示すように、球体容器６の中の中空体１上方に、空気層（透明液体９の無い層）が形成されているが、必ずしもそのようにしなければならないものではなく、球体容器６の中に透明液体９が満杯されていてもよい。
また、球体容器６の中の中空体１は内蔵された永久磁石の重みで透明液体９の中に沈むようになっている。【００１４】  図５乃至図９において、７ｂは、中空体１の下半球体７の外底面７ａに形成した所要形状からなる連結部であって、基体１０に着脱自在に形成されている。なお、前記基体１０は、図７，８に示すようにバンドと一体形式または、図５，６に示すようにバンドと着脱形式など、種々の形態のものが用いられてるものであり、その材質も弾性のある半硬質のプラスチック製、または、所要硬度を有するゴム製など種々の材質ものが用いられるものである。なお、図９に示すものは、基体１０とバンド１０ｂが一体あるは別体に設けられたものの一例を示すものであり、また図５，６は、基体１０にバンド挿通孔１０ａが設けられ、これにバンド１０ｂを挿通して使用できるようになっており、図７，８に示すものは、基体１０自体がバンド１０ｂと一体に設けられているものである。
なお、連結部７ｂと基体１０に設けられた連結部１０ｃの形状は着脱自在に連結し得るものであれば、その形状はいかなるものでもよいものである。
【産業上の利用可能性】
【００１５】  なお、本実施例では、水中用方計磁石について説明したが、これに限らず他の「水中用方計磁石」に適用できること勿論である。
【図面の簡単な説明】
【００１６】
【図１】  本考案に係る水中用方計磁石の縦断側面図である。
【図２】  本考案に係る水中用方計磁石の永久磁石を内蔵する中空体を上下二分割した下半体の平面図である。
【図３】  本考案に係る水中用方計磁石の透明な球体容器の中の透明液体に浮遊させて前記永久磁石を内蔵する中空体の平面図である。
【図４】  本考案に係る水中用方計磁石の斜視図である。
【図５】  バンドと基体を着脱自在とした本考案に係る水中用方計磁石の斜視図である。
【図６】  同基体部分を縦断した場合の断面図である。
【図７】  バンドと基体を一体とした本考案に係る水中用方計磁石の斜視図である。
【図８】  同バンドと基体部分を縦断した場合の断面図である。
【図９】  バンドに基体を取付けた他の実施の一例を示す斜視図である。
【符号の説明】
【００１７】１      中空体
２      下半体
２ａ    開口縁
２ｂ    目印
２ｃ    内底面
２ｄ    外底面部
２ｅ    筒部
２ｆ    突起
３      永久磁石
４      上半体
４ａ    方位・方角表示
４ｂ    外周縁
４ｃ    平坦面
５      重い球体
６      球体容器
７      下半球体
７ａ    外底面
７ｂ    連結部
８      上半球体
９      透明液体
１０    基体
１０ａ  バンド挿通孔
１０ｂ  バンド
１０ｃ  連結部
【図１】
0003131536.tif 000003
【図２】
0003131536.tif 000004
【図３】
0003131536.tif 000005
【図４】
0003131536.tif 000006
【図５】
0003131536.tif 000007
【図６】
0003131536.tif 000008
【図７】
0003131536.tif 000009
【図８】
0003131536.tif 000010
【図９】
0003131536.tif 000011